(57)【要約】  【課題】飼い主は、遠隔地から、ビデオ-オーディオ相互作用方式で定時且つ定量に飼っているペットに給食することができる遠隔相互作用の給食装置を提供する。【解決手段】キーボードと画像捕捉ヘッドとディスプレーからなる飼い主の作業台とする作業機構と、作業機構が接続されるネットワークサーブ機構と、ネットワークサーブ機構に接続され、作業機構からの制御信号を受信し、相互作用の給食作動を行う給食機構とが含有される。【選択図】図２
0003125799.tif 000002
【実用新案登録請求の範囲】
【請求項１】
キーボードと画像捕捉ヘッドとディスプレーからなる、飼い主の作業台とする作業機構と、
上記作業機構が接続されるネットワークサーブ機構と、
上記ネットワークサーブ機構に接続され、作業機構からの制御信号を受信し、必要とする相互作用の給食作動を行う給食機構と、
が含有される、
ことを特徴とする遠隔相互作用の給食装置。
【請求項２】
当該作業機構がデスクトップ型コンピュータやノ-トブック型コンピュータであることを特徴とする請求項１に記載の遠隔相互作用の給食装置。
【請求項３】
当該作業機構が携帯電話やPDA等の移動式電子製品であることを特徴とする請求項１に記載の遠隔相互作用の給食装置。
【考案の詳細な説明】
【技術分野】
【０００１】
本考案は、遠隔相互作用の給食装置に関し、特に、飼い主が遠隔地から、ビデオ-オーディオ相互作用方式で、定時且つ定量に飼っているペットに給食するものに関する。
【背景技術】
【０００２】
現在において、沢山の人がペットを飼う慣習を有し、しかし、多い飼い主が、仕事のため、定時的にペットに給食することが出来ず、そのため、一部の飼い主が多食分の飼料を一括でペットの給食ボールに入れ込んで、ペットが自由に食べるが、ペットが１回で給食ボールにある飼料を食べ終えないため、当該飼料がそのまま給食ボールに残され、蚊蝿やゴキブリによって汚染され、また、飼料が長期的に空気に曝されて変質し、ペットがそれを食べると、健康上の問題が発生する。
【０００３】
また、飼い主が数日外出する時、ペットを連れて行けない場合、ペットホテルや友人に頼むことができるが、ペットホテルの場合、お金が掛かるため、普通の人にとって負担になり、友人の場合、友人に迷惑をかけることになり、また、ペットホテルや友人に頼む場合、画像で直接にペットの情況を観測できず、飼い主がペットのことを心配し、そのため、本考案者は、慎重に研究して、飼い主がペットを飼う時の問題を解決でき、飼い主が遠隔地から直接に相互作用方式で給食できる装置を考案した。
【考案の開示】
【考案が解決しようとする課題】
【０００４】
本考案の主な目的は、飼い主が定時的にペットに給食できない問題を解決でき、また、過量給食を防止でき、作業機構によりネットワークサーブ機構を介して給食機構を制御することができることにより、飼い主が遠隔地からビデオ-オーディオ相互作用方式で定時且つ定量に飼っているペットに給食できる遠隔相互作用の給食装置を提供する。
【課題を解決するための手段】
【０００５】
請求項１の考案は、キーボードと画像捕捉ヘッドとディスプレーからなる、飼い主の作業台とする作業機構と、上記の作業機構が接続されるネットワークサーブ機構と、上記のネットワークサーブ機構に接続され、作業機構からの制御信号を受信し、必要とする相互作用の給食作動を行う給食機構と、が含有される、ことを特徴とする遠隔相互作用の給食装置である。
【０００６】
請求項２の考案は、当該作業機構がデスクトップ型コンピュータやノ-トブック型コンピュータであることを特徴とする請求項１に記載の遠隔相互作用の給食装置である。
【０００７】
請求項３の考案は、当該作業機構が携帯電話やPDA等の移動式電子製品であることを特徴とする請求項１に記載の遠隔相互作用の給食装置である。
【考案を実施するための最良の形態】
【０００８】
図１と２は、それぞれ、本考案の基本構造のブロック概念図と本考案に係わる給食機構の立体外観概念図である。本考案は、図のように、遠隔相互作用の給食装置であり、少なくとも、作業機構１と、ネットワークサーブ機構２と、給食機構３とから構成され、飼い主は、遠隔地からビデオ-オーディオ相互作用方式で定時且つ定量に飼っているペットに給食できる。
【０００９】
上記の作業機構１は飼い主の作業台であり、デスクトップ型コンピュータやノ-トブック型コンピュータ、携帯電話或いはPDA等の移動式電子製品である。
【００１０】
当該ネットワークサーブ機構２には、上記の作業機構１が接続される。
【００１１】
当該給食機構３は、上記のネットワークサーブ機構２に接続され、作業機構１からの制御信号を受信し、必要とする相互作用の給食作動を行い、当該給食機構３は、入力ユニット３２と出力ユニット３３、飼料定量供給ユニット３４及びネットワークサーブ機構２が接続される処理ユニット３１があり、当該給食機構３に底座３５があり、当該底座３５は、少なくとも二つの収納区３５１、３５２があり、その一つの収納区３５１は飼料定量供給ユニット３４に対応して設置され、もう一つの収納区３５２は給水ユニット３６に対応して設置され、また、当該処理ユニット３１と入力ユニット３２、出力ユニット３３及び飼料定量供給ユニット３４がハウジング３７に収納され、当該入出力ユニット３２、３３はハウジング３７の収納区３５１、３５２に対応する一面に設置され、当該飼料定量供給ユニット３４はハウジング３７の収納区３５１、３５２に対応する一端に設置される。これにより、上記の構造で、新規の遠隔相互作用の給食装置が構成される。
【００１２】
図３と４は、それぞれ、本考案の使用状態の概念図と本考案の使用状態のブロック概念図である。図のように、当該作業機構１は、少なくともキーボード１１と画像捕捉ヘッド１２とディスプレー１３が含有される携帯電話を例として、また、当該作業機構１と給食機構３とは、有線伝送方式或いはブルートゥースやWi Fi通信プロトコルの無線伝送方式で、ネットワークサーブ機構２に接続され、当該給食機構３の入力ユニット３２は、3Gビデオ用高速伝送の画像捕捉モジュールであり、当該出力ユニット３３は、3Gビデオ用のディスプレー３３１とスピーカ３３２とマイクロホン３３３とから構成される。
【００１３】
使用する時、飼い主が、作業機構１のキーボード１１によりダイヤルしてネットワークサーブ機構２に接続し、また、ネットワークサーブ機構２を介して当該遠隔の給食機構３に接続し、この時、当該給食機構３は、入力ユニット３２により、予めに設定した空間の画像をネットワークサーブ機構２を介して、作業機構１のディスプレー１３へ伝送し、飼い主が音声と画像信号を、画像捕捉ヘッド１２を合わせて、作業機構１により、ネットワークサーブ機構２を介して給食機構３の処理ユニット３１へ伝送し、また、処理された後、飼い主の音声と画像を出力ユニット３３のディスプレー３３１に出力し、これにより、入力ユニット３２により直接に画像を作業機構１へ伝送して、留守である飼い主が作業機構１を介してペットの状況を観察でき、また、同時に、作業機構１により、飼い主の画像と音声が、出力ユニット３３のディスプレー３３１とスピーカ３３２により放送され、ペットが遠隔地に居る飼い主の愛情を感受でき、また、飼い主が、これにより、ペットに、食事することを催促でき、そして、飼い主は出力ユニット３３のマイクロホン３３３を介してペットの音声が聞こえ、ペットの気分や健康情況が分かる。
【００１４】
飼い主が給食する時、ネットワークサーブ機構２を合わせて、作業機構１により、遠隔制御技術で給食機構３の処理ユニット３１に対して制御信号を送信し、当該処理ユニット３１が飼料定量供給ユニット３４を駆動して、定量の飼料を底座３５にある収納区３５１に供給し、ペットがそれを食べ、また、給水ユニット３６により、水をもう一つの収納区３５２に供給し、ペットがそれを飲み、また、当該給水ユニット３６は、大気圧により一定液位を維持するボトルであり、これにより、飼い主は、外出の時、作業機構１で給食機構３の飼料定量供給ユニット３４を制御し、給食時間と給食量を決定でき、遠隔相互作用の給食の機能が実現される。
【００１５】
以上のように、本考案に係わる遠隔相互作用の給食装置は、有効に従来の様々の欠点を改善でき、作業機構でネットワークサーブ機構を介して給食機構を制御することにより、飼い主は、遠隔地から、ビデオ-オーディオ相互作用方式で定時且つ定量に飼っているペットに給食でき、飼い主にとって、より実用的なものであり、そのため、法に従って実用新案登録請求を出願する。
【００１６】
以上は、ただ、本考案のよりよい実施例であり、本考案は、それによって制限されず、また、本考案に係わる実用新案登録請求の範囲や明細書の内容に従って、等価の変更や修正ができ、当該変更や修正は、全てが、本考案に係わる実用新案登録請求の範囲に含まれる。
【図面の簡単な説明】
【００１７】
【図１】本考案に係わる基本構造のブロック概念図
【図２】本考案に係わる給食機構の立体外観概念図
【図３】本考案の使用状態の概念図
【図４】本考案の使用状態のブロック概念図
【符号の説明】
【００１８】
１             作業機構
１１           キーボード
１２           画像捕捉ヘッド
１３           ディスプレー
２             ネットワークサーブ機構
３             給食機構
３１           処理ユニット
３２           入力ユニット
３３           出力ユニット
３３１         ディスプレー
３３２         スピーカ
３３３         マイクロホン
３４           飼料定量供給ユニット
３５           底座
３５１、３５２      収納区
３６           給水ユニット
３７           ハウジング
【図１】
0003125799.tif 000003
【図２】
0003125799.tif 000004
【図３】
0003125799.tif 000005
【図４】
0003125799.tif 000006
【手続補正書】
【提出日】平成18年8月8日(2006.8.8)
【手続補正１】
【補正対象書類名】実用新案登録請求の範囲
【補正対象項目名】請求項２
【補正方法】変更
【補正の内容】
【請求項２】
当該作業機構がデスクトップ型コンピュータやノートブック型コンピュータであることを特徴とする請求項１に記載の遠隔相互作用の給食装置。
【手続補正２】
【補正対象書類名】明細書
【補正対象項目名】０００６
【補正方法】変更
【補正の内容】
【０００６】
請求項２の考案は、当該作業機構がデスクトップ型コンピュータやノートブック型コンピュータであることを特徴とする請求項１に記載の遠隔相互作用の給食装置である。
【手続補正３】
【補正対象書類名】明細書
【補正対象項目名】０００９
【補正方法】変更
【補正の内容】
【０００９】
上記の作業機構１は飼い主の作業台であり、デスクトップ型コンピュータやノートブック型コンピュータ、携帯電話或いはPDA等の移動式電子製品である。